(57)【特許請求の範囲】
【請求項１】
ケース内に電池を収容する電池収容部が設けられた携帯端末であって、
前記電池収容部と連通して設けられると共に、前記電池収容部側に面する挿入口を備え、前記挿入口を介して板状に構成されたカード媒体からなる記録媒体を挿入可能に構成された記録媒体収容部と、
前記ケースに固定又は前記ケースと一体的に構成されるベース部と、前記挿入口に隣接して配置されると共に前記ベース部に対し弾性的に変位可能な板状のガイド片とを備えたガイド部材と、
を有し、
前記記録媒体収容部の前記挿入口は、前記ガイド片の板面方向に沿って細長に形成され、前記電池収容部において前記電池に隠される深さで連通しており、
前記ガイド片は、
前記ベース部から前記挿入口側に片持ち状に延び、当該ガイド片に対して板厚方向に押圧操作がなされたときに少なくとも先端部側が弾性的に撓み変形する構成をなし、且つ基端部から先端部に向かうにつれて厚さが徐々に小さくなるように形成されており、非操作時には所定の初期位置に設定され、前記挿入口から退避する側に押圧操作がなされたときに前記初期位置から弾性的に変位して所定の退避位置に設定される構成をなし、
当該ガイド片の板面を前記記録媒体の板面で押圧する押圧操作がなされて当該ガイド片が前記退避位置となった場合、当該ガイド片における被押圧側板面の端部と前記挿入口の長手方向の内縁部とが面一に設定される構成であり、
前記被押圧側板面の端部と前記挿入口の長手方向の内縁部とが面一に設定されたとき、当該ガイド片の前記被押圧側板面に沿って前記記録媒体収容部側に移動操作される前記記録媒体を、前記挿入口の前記内縁部に沿った位置又は前記内縁部よりも内側の位置に案内することを特徴とする携帯端末。
【請求項２】
前記ガイド片は、
押圧操作がなされない非操作時には、少なくとも一部が前記挿入口と対向して配置される対向位置に設定され、前記挿入口から退避する側に押圧操作がなされたときに前記退避位置に設定される構成をなし、
前記退避位置となった場合には、当該ガイド片に沿って前記記録媒体収容部側に移動操作される前記記録媒体を前記挿入口の開口領域内側に案内し、
前記記録媒体が前記記録媒体収容部内に収容されて押圧操作が解除された場合には、前記対向位置に弾性的に復帰して前記記録媒体収容部からの前記記録媒体の離脱を拘束することを特徴とする請求項１に記載の携帯端末。
【請求項３】
前記ガイド片の厚さが前記記録媒体の厚さよりも小さいことを特徴とする請求項１又は請求項２に記載の携帯端末。
【発明の詳細な説明】
【技術分野】
【０００１】
本発明は、携帯端末に関するものである。
【背景技術】
【０００２】
携帯型バーコードリーダ等の携帯端末の分野では、ＳＤカードなどのカード状の記憶媒体を収容する媒体収容部を備えた構成が提供されている。この種の携帯端末は、一般的には、端末内部に設けられた挿入口を介して記録媒体を抜き差し可能としており、これにより、必要に応じて外部記憶媒体を装着／離脱できるようにしている。
【０００３】
例えば、下記特許文献１に示す携帯端末装置では、筐体本体部（２１）に、バッテリ（１７）を収容するバッテリ収容部（１９）が形成されており、バッテリ収容部（１９）の内壁（２１ａ）において、バッテリ（１７）の厚みにより隠れない領域に、ＳＤカードなどのメモリーカードが挿入されるカード挿入部（２７）が設けられている。また、このカード挿入部（２７）にはガイド部（２７ａ）が、当該カード挿入部（２７）の縁部からバッテリ収容部（１９）側へ突出するように形成されている。
【先行技術文献】
【特許文献】
【０００４】
【特許文献１】特開２００９−１１１５７２公報
【発明の概要】
【発明が解決しようとする課題】
【０００５】
ところで、上記携帯端末は、様々な場所に携帯されて使用されることが想定されるため、携帯性の向上を図るべく小型化が特に要求されている。しかしながら、上記特許文献１のように、電池の収容位置よりも外側（カバー部材側）の位置にまで記録媒体の挿入口や記録媒体の収容部を配置すると、電池よりも外側（カバー部材側）の位置に別途必要なスペースを確保する必要があるため、筐体において電池収容部付近の厚さの増大が避けられず、端末全体の小型化を図ることが難しかった。
【０００６】
一方、端末の厚さ方向のコンパクト化を図るべく、記録媒体の挿入口や収容部を電池に隠される位置（電池収容部の奥深く等）に配置する方法なども考えられる。しかしながら、このように電池収容部の奥まった位置に挿入口を設けると、視認性の低下やスペース的な制約に起因して記録媒体を挿入口内に正確に挿入し難くなり、記録媒体を着脱する際の操作性を低下させてしまうという問題がある。特に、奥まった位置に配置された挿入口に記録媒体を挿入しようとすると、記録媒体の挿入側の端部が円滑に挿入口内に入りにくく、端部が挿入口付近で引っ掛かりやすいため、正確に挿入されるまで何度も挿入操作を繰り返したり、或いは引っ掛かり時に記録媒体を落としてしまうといったことも懸念される。
【０００７】
本発明は、上述した課題を解決するためになされたものであり、より小型構成で端末内に記録媒体を収容することができ、且つ、記録媒体の装着操作の正確化、容易化を実現可能な携帯端末を提供することを目的とする。
【課題を解決するための手段】
【０００８】
上記目的を達成するため、請求項１の発明は、ケース内に電池を収容する電池収容部が設けられた携帯端末であって、前記電池収容部と連通して設けられると共に、前記電池収容部側に面する挿入口を備え、前記挿入口を介して板状に構成されたカード媒体からなる記録媒体を挿入可能に構成された記録媒体収容部と、前記ケースに固定又は前記ケースと一体的に構成されるベース部と、前記挿入口に隣接して配置されると共に前記ベース部に対し弾性的に変位可能な板状のガイド片とを備えたガイド部材と、を有し、前記記録媒体収容部の前記挿入口は、前記ガイド片の板面方向に沿って細長に形成され、前記電池収容部において前記電池に隠される深さで連通しており、前記ガイド片は、前記ベース部から前記挿入口側に片持ち状に延び、当該ガイド片に対して板厚方向に押圧操作がなされたときに少なくとも先端部側が弾性的に撓み変形する構成をなし、且つ基端部から先端部に向かうにつれて厚さが徐々に小さくなるように形成されており、非操作時には所定の初期位置に設定され、前記挿入口から退避する側に押圧操作がなされたときに前記初期位置から弾性的に変位して所定の退避位置に設定される構成をなし、当該ガイド片の板面を前記記録媒体の板面で押圧する押圧操作がなされて当該ガイド片が前記退避位置となった場合、当該ガイド片における被押圧側板面の端部と前記挿入口の長手方向の内縁部とが面一に設定される構成であり、前記被押圧側板面の端部と前記挿入口の長手方向の内縁部とが面一に設定されたとき、当該ガイド片の前記被押圧側板面に沿って前記記録媒体収容部側に移動操作される前記記録媒体を、前記挿入口の前記内縁部に沿った位置又は前記内縁部よりも内側の位置に案内することを特徴とする。
【００１１】
請求項２の発明は、前記ガイド片は、押圧操作がなされない非操作時には、少なくとも一部が前記挿入口と対向して配置される対向位置に設定され、前記挿入口から退避する側に押圧操作がなされたときに前記退避位置に設定される構成をなし、前記退避位置となった場合には、当該ガイド片に沿って前記記録媒体収容部側に移動操作される前記記録媒体を前記挿入口の開口領域内側に案内し、前記記録媒体が前記記録媒体収容部内に収容されて押圧操作が解除された場合には、前記対向位置に弾性的に復帰して前記記録媒体収容部からの前記記録媒体の離脱を拘束することを特徴とする。
【００１２】
請求項３の発明は、前記ガイド片の厚さが前記記録媒体の厚さよりも小さいことを特徴とする。
【発明の効果】
【００１３】
請求項１の発明では、電池収容部側に面する挿入口を備えると共に当該挿入口を介して記録媒体を挿入可能に構成された記録媒体収容部が設けられている。そして、この記録媒体収容部の挿入口は、電池収容部において電池に隠される深さで連通している。この構成によれば、ケース内部の奥まった位置に記録媒体を収容することができるため、電池よりも外側の浅い位置に挿入口や電池収容部のスペースを大きく割く必要がなくなる。従って、携帯端末において電池収容部付近の厚みを抑えることができ、効果的に小型化を図ることができる。
また、ケースに固定又はケースと一体的に構成されるベース部と、挿入口に隣接して配置されると共にベース部に対し弾性的に変位可能なガイド片とを備えたガイド部材が設けられている。更に、ガイド片は、非操作時には所定の初期位置に設定され、挿入口から退避する側に押圧操作がなされたときに初期位置から弾性的に変位して所定の退避位置に設定される構成をなし、退避位置となった場合に、当該ガイド片に沿って記録媒体収容部側に移動操作される記録媒体を挿入口の開口領域内に案内するように構成されている。
この構成では、ガイド部材のガイド片を退避位置側に押圧すると共に当該ガイド片に沿って記録媒体を記録媒体収容部側に移動操作したときに、退避位置となったガイド片によって当該記録媒体が挿入口の開口領域内に案内されるため、記録媒体を直接挿入口に対して位置合わせしにくい構成（挿入口付近の視認性が低い構成、挿入口付近に操作のためのスペースが少ない構成等）であったとしても、記録媒体の挿入側の端部が挿入口に円滑に案内されるようになる。従って、記録媒体収容部を奥まった位置に配置して携帯端末の小型化を図りつつ、当該記録媒体収容部への記録媒体の装着操作を正確化、容易化することができる。
【００１４】
また、ガイド片が板状に構成されると共に、ベース部から挿入口側に片持ち状に延びており、当該ガイド片に対して板厚方向に押圧操作がなされたときに少なくとも当該ガイド片の先端部側が弾性的に撓み変形するように構成されている。そして、ガイド片が退避位置となったとき、ガイド片の押圧される側の板面の延長上に、挿入口の開口領域又は開口領域の境界が位置するように構成されている。
この構成によれば、押圧操作に応じて初期位置から退避位置に弾性的に変位し、且つ退避位置のときに記録媒体を挿入口側により正確に案内し得るガイド片及びガイド部材をより簡易に実現できる。
【００１５】
また、請求項１の発明では、記録媒体が板状に構成されたカード媒体からなり、挿入口は、ガイド片の板面方向に沿って細長に形成されている。このように板状に構成された記録媒体（カード媒体）を、細長の挿入口に挿入する構成とすると、薄型の記録媒体を狭いスペースに挿入できるようになるが、このような構成の場合、本発明のように挿入口が電池収容部の奥まった位置に配置されていると、挿し込み操作時の操作性低下の問題がより大きくなる。
しかしながら、請求項１の発明では、ガイド片の板面を記録媒体の板面で押圧する押圧操作がなされてガイド片が退避位置となった場合にガイド片における被押圧側板面の端部と挿入口の長手方向の内縁部とが面一に設定されるように構成されている。従って、ガイド片が退避位置となったときに被押圧側板面の端部と挿入口の長手方向の内縁部との間の段差が小さくなり、記録媒体が移動操作に応じてガイド片側から記録媒体収容部側に移る際に衝撃が抑制されてより滑らかに移動するようになる。特に、ガイド片は、被押圧側板面の端部と挿入口の長手方向の内縁部とが面一に設定されたとき、当該ガイド片の被押圧側板面に沿って記録媒体収容部側に移動操作される記録媒体を、挿入口の内縁部に沿った位置又は内縁部よりも内側の位置に案内するように構成されているため、記録媒体収容部側に移動しようとする記録媒体が挿入口の内縁部に引っ掛かりにくくなり、よりスムーズな挿入操作が可能となる。
【００１６】
請求項２の発明では、ガイド片は、押圧操作がなされない非操作時には、少なくとも一部が挿入口と対向して配置される対向位置に設定され、挿入口から退避する側に押圧操作がなされたときに退避位置に設定されるように構成されている。更に、このガイド片は、退避位置となった場合には、当該ガイド片に沿って記録媒体収容部側に移動操作される記録媒体を挿入口の開口領域内側に案内し、記録媒体が記録媒体収容部内に収容されて押圧操作が解除された場合には、対向位置に弾性的に復帰して記録媒体収容部からの記録媒体の離脱を拘束するように構成されている。
この構成では、記録媒体を装着する際に当該記録媒体を記録媒体収容部内に円滑に案内し得る構成を実現しつつ、その一方で、当該記録媒体の装着が終わって押圧操作が解除されたときには、ガイド片を対向位置（一部が挿入口と対向して配置される位置）に変位させて記録媒体収容部からの記録媒体の離脱を拘束することができ、装着後には記録媒体を記録媒体収容部内で安定的に保持することができる。特に、装着時に記録媒体を案内する部材（ガイド片）を、装着後に記録媒体を拘束する部材として兼用しているため、円滑な案内と安定的な保持を行い得る構成を、部品点数を効果的に抑えて実現できるようになる。
【００１７】
請求項３の発明では、ガイド片の厚さが記録媒体の厚さよりも小さくなるように設定されている。このようにガイド片をより薄く構成することで、当該ガイド片を設けるためのケース内部の配置スペースを比較的小さく抑えることができ、携帯端末をより小型化することができる。
【図面の簡単な説明】
【００１８】
【図１】図１は、第１実施形態に係る携帯端末を概略的に例示する平面図である。
【図２】図２は、図１のＡ−Ａ断面を概略的に示す断面概略図である。
【図３】図３（Ａ）は、図１の携帯端末の電気的構成を概略的に例示するブロック図である。図３（Ｂ）は、図３（Ａ）の情報コード読取部の構成を例示するブロック図である。
【図４】図４は、図２の記録媒体収容部付近を拡大して示す断面図である。
【図５】図５は、図１の携帯端末で用いられるガイド部材を上方から見た斜視図である。
【図６】図６（Ａ）は、図５のガイド部材の平面図であり、図６（Ｂ）は、図６（Ａ）のＢ−Ｂ断面図であり、図６（Ｃ）は、図５のガイド部材の正面図である。
【図７】図７（Ａ）は、図５のガイド部材の左側面図であり、図７（Ｂ）は、図５のガイド部材の右側面図であり、図７（Ｃ）は、図５のガイド部材の裏面図である。
【図８】図８は、記録媒体収容部とガイド部材との位置関係を説明する説明図であり、図８（Ａ）は、ガイド部材のガイド片が退避位置にある状態を示す説明図であり、図８（Ｂ）は、ガイド部材のガイド片が初期位置にある状態を示す説明図である。
【図９】図９は、記録媒体を記録媒体収容部に挿入する挿入動作を説明する図であり、図９（Ａ）は、ガイド片が初期位置にある状態であって、記録媒体がガイド片に接触した状態を示す説明図であり、図９（Ｂ）は、ガイド片が退避位置にある状態であって、記録媒体がガイド片を押圧している状態を示す説明図であり、図９（Ｃ）は、ガイド片が退避位置にある状態であって、記録媒体が内縁部７２に沿った位置に案内される状態を示す説明図である。
【図１０】図１０は、記録媒体を記録媒体収容部に挿入する挿入動作を説明する図であり、図１０（Ａ）は、ガイド片が退避位置にある状態であって、記録媒体が記録媒体収容部内に挿入される様子を説明する説明図であり、図１０（Ｂ）は、ガイド片が退避位置にある状態であって、記録媒体が記録媒体収容部に装着された状態を示す説明図であり、図１０（Ｃ）は、ガイド片が退避位置から初期位置に弾性復帰した状態を示す説明図である。
【図１１】図１１は、第１実施形態における他の変形例に係る携帯端末のガイド部材のガイド片を説明する図であり、図１１（Ａ）は、ガイド片が基端部側から当該先端部側にかけて幅が狭くなるように形成されたガイド部材の平面図であり、図１１（Ｂ）は、ガイド片の先端部が丸く形成されたガイド部材の平面図であり、図１１（Ｃ）は、ガイド片の先端部に半円形状の切欠きが形成されたガイド部材の平面図である。
【発明を実施するための形態】
【００１９】
[第１実施形態]
以下、本発明の携帯端末を具現化した第１実施形態について、図面を参照して説明する。なお、本発明の携帯端末を、バーコードや二次元コードなどの情報コードを読み取る携帯型情報読取装置に適用した構成を例に挙げて説明する。
（全体構成）
まず、図１〜図３等を参照して第１実施形態に係る携帯型情報読取装置１の全体構成について説明する。なお、図１は、第１実施形態に係る携帯端末を概略的に例示する平面図である。また、図２は、図１のＡ−Ａ断面を概略的に示す断面概略図である。図３（Ａ）は、図１の携帯端末の電気的構成を概略的に例示するブロック図である。図３（Ｂ）は、図３（Ａ）の情報コード読取部の構成を例示するブロック図である。
【００２０】
図１及び図２に示すように、携帯型情報読取装置１は、全体的に長手状に構成されており、長手状のケース５０によって外郭が構成され、このケース５０の内部に各種部品（各種電気部品等）が収容されている。ケース５０は、例えば樹脂材料などからなる複数のケース体によって構成され、これらが結合した箱状形態をなしている。また、ケース５０には電池１７を収容する電池収容部５３を開閉するための着脱可能な電池蓋６０が設けられている。
本実施形態では、ケース５０の長手方向を前後方向とし、読取口５が形成された側を前方側、それとは反対側を後方側としている。また、ケース５０の厚さ方向を上下方向とし、操作ボタン１４ａや表示装置１１が設けられた側を上方側、それとは反対側を下方側としている。また、これら前後方向及び上下方向と直交する方向を幅方向（横方向）としている。なお、図１、図２等では前後方向をＸ軸方向として示しており、上下方向をＹ軸方向として示している。また、幅方向（横方向）をＺ軸方向として示している。
【００２１】
ケース５０の前方側には情報コードからの反射光を取り込む読取口５が形成されている。この読取口５は、ケース５０の内部に光を取り込みうる開口形状となっており、その開口が透明部材（例えば透明の樹脂部材）によって閉塞された構成をなしている。また、携帯型情報読取装置１には、ケース５０から露出する形態で様々な部品が設けられている。例えば、上面側には、表示装置１１や、複数個の操作ボタン１４ａ（数字キーや機能キー等）を有するキー操作部１４が設けられており、側面側（幅方向）には、読取指示用のトリガスイッチ１３などが設けられている。また、ケース５０の後方側には充電端子４５が外部に露出して設けられており、この充電端子４５を介してケース５０の外部（充電装置など）から電力が電池１７に供給されるようになっている。更に、ケース５０内には、ＳＤカードなどの記録媒体を収容可能な記録媒体収容部７０（詳細は後述）が、電池収容部５３と連通して設けられている。
【００２２】
（電気的構成）
次に、本第１実施形態に係る携帯型情報読取装置１の電気的構成について説明する。携帯型情報読取装置１におけるケース５０の内部には、図３（Ａ）に示すように、携帯型情報読取装置１全体を制御する制御部１０が設けられている。この制御部１０は、マイコンを主体として構成されるものであり、ＣＰＵ、システムバス、入出力インタフェース等を有しており、メモリ１６と協働して情報処理手段として機能している。また、制御部１０には、表示装置１１、スピーカ１２、トリガスイッチ１３、キー操作部１４、外部インタフェース１５なども接続されている。
【００２３】
トリガスイッチ１３やキー操作部１４は、制御部１０に対して操作信号を与える構成をなしており、制御部１０は、これらからの操作信号を受けて操作信号の内容に応じた各種制御を行う。表示装置１１は、例えば液晶表示器として構成されており、制御部１０からの指令を受けて様々な表示動作が行われるようになっている。外部インタフェース１５は、外部（例えばホスト装置）との間でのデータ通信を行うためのインタフェースとして構成されており、制御部１０と協働して通信処理を行うように構成されている。また、ケース５０内には、電源となる電池１７（図２）や電源部１８が設けられている。電池１７は、充電可能な二次電池（例えばリチウムイオン電池等）によって構成され、電源部１８は、公知の電源回路などによって構成されており、これらによって制御部１０や各種電気部品に電力が供給されるようになっている。
【００２４】
また、制御部１０には、情報コード読取部３０が接続されている。この情報コード読取部３０は、図３（Ｂ）に示すように、ＣＣＤエリアセンサ等の受光センサ３３、結像レンズ３７、複数個のＬＥＤやレンズ等から構成される照明部３１などを備えた構成をなしており、制御部１０と協働して読取対象Ｒに付された情報コードＣ（バーコードや二次元コード）を読み取るように機能する。この情報コード読取部３０によって読み取りを行う場合、まず、制御部１０によって指令を受けた照明部３１から照明光Ｌｆが出射され、この照明光Ｌｆが読取口５（図２）を通って読取対象Ｒに照射される。そして、照明光Ｌｆが情報コードＣ（バーコードや二次元コード）にて反射した反射光Ｌｒは、読取口５を通って装置内に取り込まれ、結像レンズ３７を通って受光センサ３３に入射する。読取口５と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ１６（図３（Ａ））に記憶され、デコード処理に用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
【００２５】
更に、制御部１０には、外部メモリ２０が接続されている。この外部メモリ２０は、電池収容部５３に設けられる記録媒体収容部７０（図２）に挿入される記録媒体１００からなり、当該携帯型情報読取装置１から着脱可能に構成されている。具体的に、記録媒体１００として、例えば、ＳＤカード、メモリースティック（ＭＥＭＯＲＹ  ＳＴＩＣＫ（登録商標））、コンパクトフラッシュ（ＣＯＭＰＡＣＴＦＬＡＳＨ（登録商標））、スマートメディア（Ｓｍａｒｔ  Ｍｅｄｉａ（登録商標））、エックスデイピクチャーカード（ｘＤ―Ｐｉｃｔｕｒｅ  Ｃａｒｄ（登録商標））等の板状に構成された記録媒体（以下、「カード媒体」ともいう）を用いることができる。この外部メモリ２０には、メモリ１６に記憶されている画像データやデコード処理の結果などの情報が随時出力されるようになっており、この外部メモリ２０を当該携帯型情報読取装置１から取り外してコンピュータなどの外部機器と接続することにより、外部メモリ２０に記憶された情報が外部機器に出力されるように構成されている。
【００２６】
（特徴的部分の構成）
次に、図２、図４〜図８等を参照し、本実施形態の特徴的構成について詳述する。
なお、図４は、図２の記録媒体収容部付近を拡大して示す断面図である。図５は、図１の携帯端末で用いられるガイド部材を上方から見た斜視図である。図６（Ａ）は、図５のガイド部材の平面図であり、図６（Ｂ）は、図６（Ａ）のＢ−Ｂ断面図であり、図６（Ｃ）は、図５のガイド部材の正面図である。図７（Ａ）は、図５のガイド部材の左側面図であり、図７（Ｂ）は、図５のガイド部材の右側面図であり、図７（Ｃ）は、図５のガイド部材の裏面図である。図８は、記録媒体収容部とガイド部材との位置関係を説明する説明図であり、図８（Ａ）は、ガイド部材のガイド片が退避位置にある状態を示す説明図であり、図８（Ｂ）は、ガイド部材のガイド片が初期位置にある状態を示す説明図である。
【００２７】
本実施形態に係る携帯型情報読取装置１は、図２、図４に示すように、各種電気部品（図示略）が実装された基板４０が、長手状に構成されるケース５０の内部に、当該ケースの長手方向に沿う構成で配置されている。この基板４０は、板厚方向を上下方向とし、前後方向及び幅方向に沿って板面が配置される構成で、ケース５０内の所定位置に固定されている。
【００２８】
また、ケース５０内の下方側であって読取口５が形成された側とは反対側に、電池収容部５３が形成されている。この電池収容部５３は、下方側が開口する構成で箱状に構成されており、前方側の内壁部には、前壁５３ａが形成され、後方側の内壁部には、この前壁５３ａと対向する後壁５３ｂが形成されている。また、幅方向一方側の内壁部には、側壁５３ｃが形成され、幅方向他方側の内壁部には、この側壁５３ｃと対向する図示しない側壁が形成されている。また、電池蓋６０と対向する位置には、底壁５３ｅが形成されている。このように前壁５３ａ、後壁５３ｂ、及び一対の側壁によって電池１７の四方を取り囲む構成で内壁が形成され、上方の奥まった位置に箱状の底部（具体的にはケース５０の上下をひっくり返したときの底部）をなすように底壁５３ｅが配置されている。
【００２９】
そして、ケース５０内には、当該ケース５０の上下方向において、電池収容部５３の前壁５３ａ側における基板４０寄りの位置に、基板４０に沿って前後に延びる構成で記録媒体収容部７０が配置されている。この記録媒体収容部７０は、板状に構成されたカード媒体からなる記録媒体１００を収容可能な形状に構成されており、上側の内壁をなす天井壁７０ａと、この天井壁７０ａと対向して下側の内壁をなす底壁７０ｂと、幅方向一方側の内壁をなす側壁７０ｃと、この側壁７０ｃと対向し幅方向他方側の内壁をなす図示しない側壁と、前側の内壁をなす前壁７０ｄを備えている。
【００３０】
そして、これら天井壁７０ａ、底壁７０ｂ、側壁７０ｃ、図示しない側壁（側壁７０ｃと対向する側壁）の電池収容部５３側に面する縁部によって、当該記録媒体収容部７０に記録媒体１００を挿入可能な挿入口７１が開口形態で形成されている。この挿入口７１は、後述するガイド部材８０のガイド片８２の板面方向に沿うように（より具体的には携帯端末１の幅方向に延びる構成で）細長の開口形態をなしている。具体的には、挿入口７１の上側の内縁部７２及び下側の内縁部７４がいずれも幅方向に延びており、この幅方向を長手方向とする構成で横長に開口している。そして、これら内縁部７２，７４の間の領域が開口領域として構成されている。
【００３１】
更に、図４に示すように、挿入口７１は、電池収容部５３の前壁５３ａ側において電池１７に隠される深さ（即ち、電池１７が電池収容部５３に収容されたときに電池１７の下端位置よりも上方側に配置される深さ）で電池収容部５３と連通するように配置されている。より具体的には、図４に示すように、挿入口７１が電池１７の配置領域よりも奥まった位置（より詳しくは、電池１７の上面を支持する底壁５３ｅよりも上方の奥まった位置）に形成されており、電池収容部５３は、電池１７と接触する端子５４よりも上方位置においてこの挿入口７１を後端として挿入口７１よりも前方に延びる構成で配置されている。
【００３２】
また、記録媒体収容部７０の内壁部（例えば、天井壁７０ａ或いは底壁７０ｂ）には、記録媒体１００と当該携帯型情報読取装置１とを電気的に接続可能な端子（図示略）が設けられており、記録媒体１００が記録媒体収容部７０内に収容されたときに、当該端子と記録媒体１００の板面側に形成された端子とが接触する構成をなしている。これにより、携帯型情報読取装置１の制御部１０等による記録媒体１００へのアクセスが可能となり、記録媒体１００への記録（例えばデコード処理の結果などの記録）が可能となるように構成されている。
【００３３】
更に、このように構成される電池収容部５３に隣接する構成でガイド部材８０が設けられている。このガイド部材８０は、図５〜図７に示すように、主として、ガイド部８１及び取付部８５を備えてなるベース部８０ａと、ガイド部８１から延出して設けられるガイド片８２とによって構成されており、記録媒体１００を記録媒体収容部７０の挿入口７１に案内するために、記録媒体収容部７０近傍に設けられている。また、ガイド部材８０は、ＡＢＳやポリカーボネイト等の弾性変形可能な樹脂材料によって形成されており、ガイド部８１、取付部８５、及びガイド片８２が一体的に連結した一体部品として形成されている。
【００３４】
ガイド部８１は、ガイド部材８０の後端寄りの部分であり、図２、図６に示すように、略板状に構成されると共に、基板４０に沿った構成で後方側に延びている。このガイド部８１の後端部には、係止部８８が形成されており、ガイド部材８０がケース５０に収容される際にこの係止部８８と、ケース５０の内部に形成されたフレーム５０ｃとが係止する構成で固定されるようになっている。また、ガイド部８１の中央側には当該ガイド部材８１とガイド片８２とを区画する切欠き８４が設けられている。この切欠き８４は、ガイド部８１の中央側を板厚方向に貫通するように形成されている。
【００３５】
ガイド片８２は、先端部８２ａと基端部８２ｂとを備え、板状に構成されると共に、ガイド部８１の後端部側から前方側に向けて片持ち状に延びるように形成されている。また、ガイド片８２の先端部８２ａは略矩形状に形成されており、この先端部８２ａと基端部８２ｂとの境界には、溝８３が形成されている。このガイド片８２は、図８（Ａ）、図９（Ｂ）のように、当該ガイド片８２の被押圧側板面９０に対して板厚方向（即ち上方方向）に押圧操作がなされたときに、先端部８２ａが溝８３を支点としてガイド部８１に対して上方側に弾性的に変位するように構成されている。
【００３６】
取付部８５は、略板状に構成されており、一対の取付孔８６が形成されている。そして、ねじ等の締結部材（図示略）によって、この取付孔８６を介して、取付部８５がケース５０内のフレームに固定されるように構成されている。また、取付部８５の板面から上方に突出する形態でリブ８７が形成されている。このリブ８７は、取付部８５及びガイド部８１が一体的に形成されており、前後方向に延びる構成で配置されている。
【００３７】
次に、ケース５０内に配置される記録媒体収容部７０とガイド部材８０のガイド片８２との位置関係について説明する。
ガイド部材８０は、図４に示すように、記録媒体収容部７０に隣接して配置されており、また、ガイド部材８０のガイド片８２は、電池収容部５３において、電池１７が収容される位置よりも奥まった位置に、電池収容部５３の壁面の一部をなす構成で配置されている。そして、ガイド片８２は、被押圧側板面９０に対して板厚方向（より具体的には上方側）に押圧操作がなされると、ガイド部８１に対して弾性的に撓んで変形して、図８（Ａ）に示す位置（退避位置）に変位するように構成されている。また、ガイド片８２は、被押圧側板面９０に対して押圧操作がなされていない状態（非操作時）若しくは押圧操作が解除された場合には、図８（Ｂ）に示すように、記録媒体収容部７０の挿入口７１と対向する位置に配置される（初期位置）。なお、図８（Ｂ）では、記録媒体収容部７０に記録媒体１００が収容されている様子を示しているが、記録媒体収容部７０に記録媒体１００が収容されていないときに、被押圧側板面９０に対して押圧操作がなされていない状態（非操作時）若しくは押圧操作が解除された場合（例えば、記録媒体収容部７０から記録媒体１００を取り出した時）も、ガイド片８２は図８（Ｂ）に示す位置に配置されるように構成されている。
【００３８】
ここで、ガイド片８２は、図８に示すように、基端部８２ｂから先端部８２ａに向かうにつれて、厚さａが徐々に小さくなるように形成されており、ガイド片８２の先端部８２ａの厚さａは、記録媒体１００の厚さｂより小さく設定されている。そして、図８（Ａ）のようにガイド片８２が退避位置に変位したときに、ガイド片８２における被押圧側板面９０の端部９０ａの高さが、挿入口７１の上側の内縁部７２の高さとほぼ等しく且つ記録媒体収容部７０に挿入されている記録媒体１００の上面の後端部の高さとほぼ等しくなるようにガイド片８２の先端部８２ａの厚さａが設定されている（図８（Ａ））。また、このガイド片８２の先端部８２ａの厚さａは、ケース５０の小型化を図る点と、当該ガイド片８２を弾性変形させる点で、できるだけ薄い方が好ましいが、記録媒体１００を記録媒体収容部７０に固定する機能の点から、ある程度の厚さが必要であるため、例えば記録媒体１００の厚さｂの半分程度に設定することが望ましい。
【００３９】
（記録媒体の挿入動作）
次に、上述のように構成される携帯型情報読取装置１において、記録媒体１００を記録媒体収容部７０に挿入する挿入動作について、図９及び図１０を用いて説明する。
図９は、記録媒体を記録媒体収容部に挿入する挿入動作を説明する図であり、図９（Ａ）は、ガイド片が初期位置にある状態であって、記録媒体がガイド片に接触した状態を示す説明図であり、図９（Ｂ）は、ガイド片が退避位置にある状態であって、記録媒体がガイド片を押圧している状態を示す説明図であり、図９（Ｃ）は、ガイド片が退避位置にある状態であって、記録媒体が内縁部７２に沿った位置に案内される状態を示す説明図である。図１０は、記録媒体を記録媒体収容部に挿入する挿入動作を説明する図であり、図１０（Ａ）は、ガイド片が退避位置にある状態であって、記録媒体が記録媒体収容部内に挿入される様子を説明する説明図であり、図１０（Ｂ）は、ガイド片が退避位置にある状態であって、記録媒体が記録媒体収容部に装着された状態を示す説明図であり、図１０（Ｃ）は、ガイド片が退避位置から初期位置に弾性復帰した状態を示す説明図である。
【００４０】
まず、携帯型情報読取装置１から電池１７と電池蓋６０が取り除かれた状態で、電子収容部５３内に記録媒体１００が入れられて、図９（Ａ）に示すように、記録媒体１００がガイド片８２の被押圧側板面９０に接触する。なお、図９（Ａ）では、ガイド片８２に対して押圧操作がまだなされておらず、ガイド片８２は初期位置（即ち、挿入口７１と対向して配置される対向位置）の状態にある。記録媒体１００によりガイド片８２の被押圧側板面９０が板厚方向（即ち、ガイド片８２が挿入口７１から退避する上方側）に押圧されると、ガイド片８２の先端部８２ａ側が弾性的に撓み変形する。そして、図９（Ｂ）に示すように、ガイド片８２の被押圧側板面９０とは反対側の板面が基板４０と接触し、被押圧側板面９０の延長上に、記録媒体収容部７０の挿入口７１の開口領域が位置するようになる（退避位置）。
【００４１】
このように退避位置となったとき、ガイド片８２は、図９（Ｂ）（Ｃ）のように当該ガイド片８２に沿って記録媒体収容部７０側に移動操作される記録媒体１００を挿入口７１の開口領域内に案内する。また、このとき、ガイド片８２における被押圧側板面９０の前端部と挿入口７１において長手方向に延びる上側の内縁部７２（天井壁７０ａの後端部）とが、図９（Ｂ）中一点鎖線で示すように略面一となる。そして、このように、被押圧側板面９０の前端部と挿入口７１の上側の内縁部７２とが略面一に設定されたとき、図９（Ｃ）に示すように、ガイド片８２は、当該ガイド片８２の被押圧側板面９０に沿って記録媒体収容部７０側に移動操作される記録媒体１００を、挿入口７１の上側の内縁部７２付近又は当該内縁部７２よりもやや下側に向けて案内することとなる。即ち、被押圧側板面９０の前端部の高さと挿入口の内縁部７２の高さがほぼ同じ高さに揃えられるため、前後方向（Ｘ軸方向）及び幅方向（Ｚ軸方向）にほぼ沿って配置される被押圧側板面９０に沿わせるように記録媒体１００を前側に移動させたときに図９（Ｃ）のように記録媒体１００の前端部が挿入部７１の開口領域内に入りやすくなる。
【００４２】
そして、図１０（Ａ）に示すように、挿入口７１へ記録媒体１００の先端が挿入された後に、ガイド片８２に沿って記録媒体１００を記録媒体収容部７０内に更に移動させることで、記録媒体１００は、図１０（Ｂ）に示す挿入完了位置まで移動する。このとき、記録媒体収容部７０内に設けられる端子（図示略）と記録媒体１００の端子（図示略）とが電気的に接続され、記録媒体１００が記録媒体収容部７０の内部に装着された状態となる。このように記録媒体１００が記録媒体収容部７０に装着されて、ガイド片８２の被押圧側板面９０に対する押圧操作が解除されると、図１０（Ｃ）に示すように、ガイド片８２は、挿入口７１の開口領域と対向した位置（対向位置）に弾性的に復帰し（即ち、図９（Ａ）で示した初期位置に戻り）、記録媒体収容部７０からの記録媒体１００の離脱を拘束する。即ち、記録媒体１００の離脱経路上に弾性復帰したガイド片８２の先端部が位置するため、記録媒体１００が記録媒体収容部７０から離脱できないようになる。このように、記録媒体収容部７０に装着されている記録媒体１００は、ガイド片８２の先端部８２ａによって、挿入方向（前後方向）への移動が規制されることとなるので、落下等の衝撃がケース５０に加えられても、記録媒体１００が記録媒体収容部７０から外れることが抑制される。なお、記録媒体収容部７０に装着された記録媒体１００は、例えば、ガイド片８２の被押圧側板面９０を板厚方向に押圧して退避位置に変位させた状態で、当該記録媒体１００を引っ張ることで取り出すことができる。
【００４３】
（本実施形態の主な効果）
以上説明したように、本第１実施形態に係る携帯型情報読取装置１（携帯端末）では、電池収容部５３側に面する挿入口７１を備えると共に当該挿入口７１を介して記録媒体１００を挿入可能に構成された記録媒体収容部７０が設けられている。そして、この記録媒体収容部７０の挿入口７１は、電池収容部５３において電池１７に隠される深さで連通している。この構成によれば、ケース５０内部の奥まった位置に記録媒体１００を収容することができるため、電池１７よりも外側の浅い位置に挿入口７１や電池収容部５３のスペースを大きく割く必要がなくなる。従って、携帯型情報読取装置１において電池収容部５３付近の厚みを抑えることができ、効果的に小型化を図ることができる。
また、ケース５０に固定又はケース５０と一体的に構成されるベース部８０ａと、挿入口７１に隣接して配置されると共にベース部８０ａに対し弾性的に変位可能なガイド片８２とを備えたガイド部材８０が設けられている。更に、ガイド片８２は、非操作時には所定の初期位置に設定され、挿入口７１から退避する側に押圧操作がなされたときに初期位置から弾性的に変位して所定の退避位置に設定される構成をなし、退避位置となった場合に、当該ガイド片８２に沿って記録媒体収容部７０側に移動操作される記録媒体１００を挿入口７１の開口領域内に案内するように構成されている。
この構成では、ガイド部材８０のガイド片８２を退避位置側に押圧すると共に当該ガイド片８２に沿って記録媒体１００を記録媒体収容部７０側に移動操作したときに、退避位置となったガイド片８２によって当該記録媒体１００が挿入口７１の開口領域内に案内されるため、記録媒体１００を直接挿入口７１に対して位置合わせしにくい構成（挿入口７１付近の視認性が低い構成、挿入口７１付近に操作のためのスペースが少ない構成等）であったとしても、記録媒体１００の挿入側の端部が挿入口７１に円滑に案内されるようになる。従って、記録媒体収容部７０を奥まった位置に配置して携帯型情報読取装置１の小型化を図りつつ、当該記録媒体収容部７０への記録媒体１００の装着操作を正確化、容易化することができる。
【００４４】
また、本実施形態では、ガイド片８２が板状に構成されると共に、ベース部８０ａから挿入口７１側に片持ち状に延びており、当該ガイド片８２に対して板厚方向に押圧操作がなされたときに少なくとも当該ガイド片８２の先端部８２ａ側が弾性的に撓み変形するように構成されている。そして、ガイド片８２が退避位置となったとき、ガイド片８２の押圧される側の板面の延長上に、挿入口７１の開口領域又は開口領域の境界が位置するように構成されている。
この構成によれば、押圧操作に応じて初期位置から退避位置に弾性的に変位し、且つ退避位置のときに記録媒体１００を挿入口７１側により正確に案内し得るガイド片８２及びガイド部材８０をより簡易に実現できる。
【００４５】
更に本実施形態では、記録媒体１００が板状に構成されたカード媒体からなり、挿入口７１は、ガイド片８２の板面方向に沿って細長に形成されている。このように板状に構成された記録媒体１００（カード媒体）を、細長の挿入口７１に挿入する構成とすると、薄型の記録媒体１００を狭いスペースに挿入できるようになるが、このような構成の場合、本発明のように挿入口７１が電池収容部５３の奥まった位置に配置されていると、挿し込み操作時の操作性低下の問題がより大きくなる。
しかしながら、本実施形態では、ガイド片８２の板面を記録媒体１００の板面で押圧する押圧操作がなされてガイド片８２が退避位置となった場合にガイド片８２における被押圧側板面９０の端部と挿入口７１において長手方向に延びる上側の内縁部７２とが面一に設定されるように構成されている。従って、ガイド片８２が退避位置となったときに被押圧側板面９０の端部と挿入口７１の長手方向の内縁部７２との間の段差が小さくなり、記録媒体１００が移動操作に応じてガイド片８２側から記録媒体収容部７０側に移る際に衝撃が抑制されてより滑らかに移動するようになる。特に、ガイド片８２は、被押圧側板面９０の端部と挿入口７１の長手方向の内縁部７２とが面一に設定されたとき、当該ガイド片８２の被押圧側板面９０に沿って記録媒体収容部７０側に移動操作される記録媒体１００を、挿入口７１の内縁部７２に沿った位置又は内縁部７２よりも内側の位置に案内するように構成されているため、記録媒体収容部７０側に移動しようとする記録媒体１００が挿入口７１の内縁部７２に引っ掛かりにくくなり、よりスムーズな挿入操作が可能となる。
【００４６】
また、本実施形態では、ガイド片８２は、押圧操作がなされない非操作時には、少なくとも一部が挿入口７１と対向して配置される対向位置に設定され、挿入口７１から退避する側に押圧操作がなされたときに退避位置に設定されるように構成されている。更に、このガイド片８２は、退避位置となった場合には、当該ガイド片８２に沿って記録媒体収容部７０側に移動操作される記録媒体１００を挿入口７１の開口領域内側に案内し、記録媒体１００が記録媒体収容部７０内に収容されて押圧操作が解除された場合には、対向位置に弾性的に復帰して記録媒体収容部７０からの記録媒体１００の離脱を拘束するように構成されている。
この構成では、記録媒体１００を装着する際に当該記録媒体１００を記録媒体収容部７０内に円滑に案内し得る構成を実現しつつ、その一方で、当該記録媒体１００の装着が終わって押圧操作が解除されたときには、ガイド片８２を対向位置（一部が挿入口７１と対向して配置される位置）に変位させて記録媒体収容部７０からの記録媒体１００の離脱を拘束することができ、装着後には記録媒体１００を記録媒体収容部７０内で安定的に保持することができる。特に、装着時に記録媒体１００を案内する部材（ガイド片８２）を、装着後に記録媒体１００を拘束する部材として兼用しているため、円滑な案内と安定的な保持を行い得る構成を、部品点数を効果的に抑えて実現できるようになる。
【００４７】
また、本実施形態では、ガイド片８２の厚さが記録媒体１００の厚さよりも小さくなるように設定されている。このようにガイド片８２をより薄く構成することで、当該ガイド片８２を設けるためのケース５０内部の配置スペースを比較的小さく抑えることができ、携帯型情報読取装置１をより小型化することができる。
【００４８】
［他の実施形態]
本発明は上記記述及び図面によって説明した実施形態に限定されるものではなく、例えば次のような実施形態も本発明の技術的範囲に含まれる。
【００４９】
上記実施形態では、ガイド部材８０はケース５０とは別体で構成されており、ケース５０に取付部８５を介して固定する構成を例示したが、ガイド部材８０はケース５０と一体的に構成されていてもよい。
【００５０】
上記実施形態では、ガイド部材８０のガイド片８２の先端部８２ａは略矩形状に形成されている例を示したが、記録媒体収容部７０からの記録媒体１００の離脱を拘束可能な形状であれば特に限定されない。例えば、ガイド部材１８０の先端部１８２ａは、図１１（Ａ）に示すように、基端部１８２ｂ側から当該先端部１８２ａ側にかけて幅が狭くなるように形成されていてもよい。また、ガイド部材２８０の先端部２８２ａは、図１１（Ｂ）に示すように、丸い形状に形成されていてもよい。更に、ガイド部材３８０の先端部３８２ａは、図１１（Ｃ）に示すように、半円形状の切欠きが形成されていてもよい。
【００５１】
上記実施形態において、記録媒体収容部７０の数は１つに限らず、２つ以上設けられていてもよい。例えば、ケース５０の幅方向に記録媒体収容部７０を複数並べて配置するように構成してもよい。
【符号の説明】
【００５２】
１…携帯端末（携帯型情報読取装置）
１７…電池
５０…ケース
５３…電池収容部
７０…記録媒体収容部
７０ａ…底壁
７０ｂ…天井壁
７０ｃ…側壁
７０ｄ…前壁
７１…挿入口
７２…内縁部
８０…ガイド部材
８０ａ…ベース部
８１…ガイド部
８２…ガイド片
８２ａ…先端部
８２ｂ…基端部
８３…溝
８４…切欠き
８５…取付部
８６…取付孔
８７…リブ
８８…係止部
９０…被押圧側板面
１００…記録媒体（カード媒体）
【図１】
0005440420.tif 000002
【図２】
0005440420.tif 000003
【図３】
0005440420.tif 000004
【図４】
0005440420.tif 000005
【図５】
0005440420.tif 000006
【図６】
0005440420.tif 000007
【図７】
0005440420.tif 000008
【図８】
0005440420.tif 000009
【図９】
0005440420.tif 000010
【図１０】
0005440420.tif 000011
【図１１】
0005440420.tif 000012